(57)【特許請求の範囲】
【請求項１】
紙製シートと紙製の結束材とを備え、紙製シートは、１枚からなり、複数の被梱包物を順次巻きつけ、各被梱包物の間に挟まった状態で全ての被梱包物を包むものであり、中間部に巻きつけ方向と平行な方向にミシン線が全長に設けてあるとともに包まれた被梱包物の両端を閉塞し、結束材は、紙製シートの閉塞部を結束していることを特徴とする梱包材。
【発明の詳細な説明】
【技術分野】
【０００１】
本発明は、目板やレール材などの被梱包物を梱包するための梱包材に関するものである。
【背景技術】
【０００２】
目板やレールなどの被梱包物を複数梱包するときに、被梱包物の有効面に傷が付かないように、図５のように、複数の箇所に樹脂アングル３２を挟んで各被梱包物３１ａ，３１ｂ同士を非接触とし、各被梱包物３１ａ，３１ｂ間の適宜の箇所にミラーマット３３を巻きつけて上記の各被梱包物３１ａ，３１ｂを纏めている。さらに、梱包した複数の被梱包物を大きなポリ袋３４に包むとともに、ポリ袋３４の両端を粘着テープ３５などで閉塞して被梱包物３１ａ，３１ｂの有効面の保護と袋からの抜け出しを防ぐものであった。
【発明の開示】
【発明が解決しようとする課題】
【０００３】
上記のような梱包材は、樹脂アングルやミラーマットにより被梱包物を一つ一つ梱包してあるとともに、全体をポリ袋に収容してあることから、被梱包物を取り出す際に大変煩わしいものであった。さらに、梱包材の各々の材質も異なっていることから、廃棄の際の分別も煩わしく再資源化も難しいものであった。本発明は、上記課題を鑑みてなされたものであり、被梱包物の保護が確実に行えるとともに、被梱包物の取り出しも容易であり、しかも、被梱包物の取り出し後は効率良く廃棄が行える梱包材を提供することにある。
【課題を解決するための手段】
【０００４】
本発明は、紙製シートと紙製の結束材とを備え、紙製シートは、１枚からなり、複数の被梱包物を順次巻きつけ、各被梱包物の間に挟まった状態で全ての被梱包物を包むものであり、中間部に巻きつけ方向と平行な方向にミシン線が全長に設けてあるとともに包まれた被梱包物の両端を閉塞し、結束材は、紙製シートの閉塞部を結束していることを特徴とする。
【発明の効果】
【０００５】
本発明によれば、複数の被梱包物を１枚の紙製シートで梱包してあり、さらに、中間部にミシン線が設けてあることにより、紙製シートが軽い力で簡単に破れることで中から被梱包物を取り出す手間が省かれる。また、１枚の紙製シートにより各被梱包物の有効面のすべてが紙製シートにより保護されるので、梱包材の有効面を傷つけることがない。さらに、梱包材を構成するシートや結束材が紙製であるため、廃棄時に分別する手間がかからず、しかも、再資源化も容易となる。
【図面の簡単な説明】
【０００６】
【図１】（ａ）は、梱包材の全体を示す側面図であり、（ｂ）は、Ａ−Ａ線縦断面図である。
【図２】（ａ）〜（ｄ）は、梱包の手順を示す説明図である。
【図３】（ａ）〜（ｃ）は、図２（ｂ）の手順をさらに詳細に説明する縦断面図である。
【図４】（ａ）（ｂ）は、本発明の他の実施形態を示す縦断面図である。
【図５】従来の梱包材を示す一部を断面した側面図である。
【発明を実施するための形態】
【０００７】
以下に、図面に基づいて本実施による梱包材について説明する。
本実施による梱包材は、図１（ａ）を参照すれば、１枚の紙製シート１と結束材とからなっている。また、図１（ｂ）と図３（ａ）〜（ｃ）のように、紙製シート１は、中間部にミシン線６が設けてあり、この紙製シート１により、同一形状で且つ同一寸法の２枚の各目板の差込部同士を重ねて１セットにまとめてある一つ目の被梱包物２ａを巻いた後に、二つ目の被梱包物２ｂを順次巻いていく、所謂のり巻き状に２つの被梱包物２ａ，２ｂを包んでいる。さらに、上記のように複数の被梱包物２ａ，２ｂを包んだ紙製シート１の両端を折り曲げて閉塞し、その閉塞部５を紙製の結束材４で巻いて折り曲げた状態が解除されないように固定して梱包材を形成している。このように形成することにより、各被梱包物２ａ，２ｂの有効面３のすべてを紙製シート１が覆った状態で包まれるので、被梱包物２ａ，２ｂの有効面３に傷が付かずに確実な保護がなされることになる。また、梱包材の両端を軽い力で引っ張る、あるいは、捻ることによって梱包材がミシン線６で分断されることにより、梱包材から被梱包物２ａ，２ｂを容易に取り出すことができる。さらに、紙製シート１と紙製の結束材４であり、被梱包物２ａ，２ｂを取り出した後はすべてが紙製であることから、分別することなく資源ゴミとして廃棄できる。尚、紙製シート１は、本実施のものではクラフト紙が使われており、そのクラフト紙の滑面側を被梱包物２ａ，２ｂの有効面３に向けて巻きつけるものであり、紙製シート１と被梱包物２ａ，２ｂの有効面３との摩擦をできるだけ小さくしている。また、紙製の結束材４は、本実施のものでは一面側に粘着層を有する紙テープが使用されている。
【０００８】
上記した梱包材の梱包手順を図２（ａ）〜（ｄ）と図３に基づいて説明する。第一の手順として図２（ａ）のように、紙製シート１を巻くロール１０から所定長さ（符号９の位置）を引き出して切り取り、その切り取られた紙製シート１の引き出し方向の中間位置にミシン線６を設け、さらに、紙製シート１の上に間隔をあけて２本の被梱包物２ａ，２ｂをそれぞれ載置する。第二の手順として図２（ｂ）と図３（ａ）〜（ｃ）のように、一つ目の被梱包物２ａに紙製シート１を巻きつけ、次いで、二つ目の被梱包物２ｂへと、順次のり巻き状に巻きつけていく。第三の手順として図２（ｃ）のように、複数の被梱包物２ａ，２ｂを包んだ状態の紙製シート１の両端を折り曲げて、複数の被梱包物２ａ，２ｂが紙製シート１から抜け出さないように閉塞する。第四の手順として図２（ｄ）のように、折り曲げて閉塞した状態にある紙製シート１の閉塞部５の外周に紙製の結束材４を巻いて閉塞部５が解除されないように固定する。以上の第一〜第四の手順を経ることにより、本実施による梱包材が形成される。
【０００９】
図４（ａ）（ｂ）は、本発明の他の実施形態を示すものである。
図４（ａ）は、被梱包物１２ａ，１２ｂとして目板を１本ずつ２本梱包したものであり、このような場合でも被梱包物１２ａ，１２ｂの有効面３の間に紙製シート１が挟まった状態でそれぞれが包まれるので、上記実施形態のものと同様に、被梱包物１２ａ，１２ｂのそれぞれの有効面１３の確実な保護がなされる。また、図４（ｂ）のものは、被梱包物２２ａ〜２２ｃとして中空形材を１本ずつ３本梱包したものであり、このような四方に有効面２３を有する被梱包物２２ａ〜２２ｃであっても、すべての有効面２３において紙製シート１が覆うことにより傷付くことがない。また、本発明の梱包材の寸法については、本実施形態に限らず、被梱包物２ａ，２ｂ，１２ａ，１２ｂ，２２ａ〜２２ｃの大きさや形状に対応して様々なものがある。また、紙製シート１の大きさにより、被梱包物２ａ，２ｂ，１２ａ，１２ｂ，２２ａ〜２２ｃをいくつでものり巻き状に包んで梱包することができる。さらに、紙製シート１は、上記実施形態で使用するクラフト紙以外のものであってもよい。紙製の結束材４は、上記実施形態で使用する紙テープの他、紙繊維の糸などでもよく、閉塞部５が解かれないようにできるものであればよい。閉塞部５は、紙製シート１を折り曲げる他に捻って閉塞するものなど、紙製シート１に内包した被梱包物２ａ，２ｂ，１２ａ，１２ｂ，２２ａ〜２２ｃが抜け出さないものであればよい。
【符号の説明】
【００１０】
１  紙製シート
２ａ，２ｂ，１２ａ，１２ｂ，２２ａ〜２２ｃ  被梱包物
３，１３，２３  有効面
４  結束材
５  閉塞部
【図１】
0005769550.tif 000002
【図２】
0005769550.tif 000003
【図３】
0005769550.tif 000004
【図４】
0005769550.tif 000005
【図５】
0005769550.tif 000006